(57)【特許請求の範囲】
【請求項１】
局内装置側とユーザ装置側とを通信可能に接続する光ファイバに分岐装置が設けられ、この分岐装置を介して複数のユーザ装置が接続されたＰＯＮの切り替え方法であって、
複数種のＰＯＮの局内装置とそれぞれ通信するための複数種の通信手段と、前記局内装置から受信した信号に基づいて、この局内装置に適合する前記通信手段を前記局内装置側と接続する接続手段と、を備える装置をハイブリッドユーザ装置とし、
既設の局内装置が運用されている状態で、既設の各ユーザ装置を前記ハイブリッドユーザ装置に取り替え、
すべての前記ユーザ装置の取り替えを終えた後に、前記既設の局内装置を新たな局内装置に取り替える、ことを特徴とするＰＯＮの切り替え方法。
【発明の詳細な説明】
【技術分野】
【０００１】
この発明は、ＰＯＮ（Ｐａｓｓｉｖｅ  Ｏｐｔｉｃａｌ  Ｎｅｔｗｏｒｋ）のユーザ装置および、このユーザ装置を用いたＰＯＮの切り替え方法に関する。
【背景技術】
【０００２】
より安価に光通信を実現するために、ＰＯＮ形光アクセスシステムが普及している。このＰＯＮは、電話局やセンタ局の局内装置（親機）側からユーザ宅のユーザ装置（子機）側につながる光ファイバの途中に、光スプリッタ（光カプラ）などの分岐装置が設けられ、この分岐装置を介して複数のユーザ装置が接続されている。このようにして、１つの局内装置と複数のユーザ装置とを通信可能に接続し、１つの光ファイバを複数のユーザ装置で共有することで、安価に光通信を実現するものである。
【０００３】
このようなＰＯＮにおいては、高速化、高機能化などを図るために、複数の種類（方式）のＰＯＮが開発、実用化されている（例えば、特許文献１参照。）。このため、例えば、旧型のＰＯＮを使用していた場合に、高速化などを図るために新型のＰＯＮに切り替える必要が生じる場合がある。このような場合、従来次のようにしてＰＯＮの切り替えを行っていた。
【０００４】
第１の方法としては、図８に示すように、既設のＰＯＮ、つまり旧型のＰＯＮの旧型のＯＬＴ（Ｏｐｔｉｃａｌ  Ｌｉｎｅ  Ｔｅｒｍｉｎａｌ、局内装置）１１０と、このＯＬＴ１１０に接続されているすべてのユーザ宅Ｈの旧型のＯＮＵ（Ｏｐｔｉｃａｌ  Ｎｅｔｗｏｒｋ  Ｕｎｉｔ、ユーザ装置）１２０の運用を停止する。そして、すべての旧型のＯＮＵ１２０を新型のＯＮＵ２２０に取り替えるとともに、旧型のＯＬＴ１１０を新型のＯＬＴ２１０に取り替えて、運用を再開するものである。なお、図中符号Ｃは、電柱上に設置されているクロージャ（接続箱）である。
【０００５】
また、第２の方法として、まず、図９に示すように、既設のＰＯＮ、つまり旧型のＰＯＮ１００と同一のネットワーク（伝送系統）に、新型のＰＯＮ２００を構築する。ここで、旧型のＰＯＮ１００では旧型のＯＬＴ１１０が設置されており、新型のＰＯＮ２００では新型のＯＬＴ２１０が設置される。次に、ユーザの都合に合わせて工事日時などを調整し、ユーザ宅Ｈの旧型のＯＮＵ１２０を新型のＯＮＵ２２０に取り替え、さらに、ユーザ宅Ｈの引込線Ｈ１を旧型のＰＯＮ１００の光ファイバ心線１０１から切り離して新型のＰＯＮ２００の光ファイバ心線２０１に接続する。このような取り替え、接続作業などをすべてのユーザ宅Ｈに対して行う。その後、旧型のＰＯＮ１００の心線１０１をストレート接続し、光スプリッタ１０２を撤去して、心線１０１を原状復帰するものである。
【特許文献１】特開２００７−２４３７９６号公報
【発明の開示】
【発明が解決しようとする課題】
【０００６】
ところで、上記の第１の方法では、予備のＰＯＮ（心線）がない状態で、すべての旧型のＯＮＵ１２０と旧型のＯＬＴ１１０とを取り替える必要があり、その間は、すべてのユーザ宅Ｈにおいて光通信を停止させなければならない。このため、取り替えを含む工事を一時に行って工事期間をできるだけ短縮する必要があり、そのためには、すべての旧型のＯＮＵ１２０の取り替え日時を合わせる必要がある。しかしながら、旧型のＯＮＵ１２０の取り替えはユーザ宅Ｈ内で行うため、すべてのユーザに都合がよい日時を設定することは極めて困難で、設定できたとしても、各ユーザ宅Ｈに作業者を派遣しなければならず、多くの作業者を要する。
【０００７】
また、上記の第２の方法では、旧型のＰＯＮ１００と並列に新型のＰＯＮ２００を構築する必要がある。つまり、新型のＰＯＮ２００を構築するために、ユーザ数分の切替用の予備心線２０１が必要であり、このような予備心線２０１がない場合には、新たな光ケーブルを敷設する必要がある。また、すべてのユーザの都合を聞いて工事日時などを調整しなければならず、ユーザ側、工事業者側ともに、多大な負担となる。さらに、引込線Ｈ１の接続切り替えなどは、電柱上での柱上作業であるため、多大な時間と労力、工事費を要し、しかも、切り離し対象の引込線Ｈ１、心線１０１を間違える誤切断のリスクが伴う。また、旧型のＰＯＮ１００の心線１０１を原状復帰する必要があり、この作業も柱上作業であるため、多大な時間と労力、工事費を要する。
【０００８】
そこでこの発明は、ＰＯＮの切り替えを容易に行うことが可能なＰＯＮの切り替え方法を提供することを目的とする。
【課題を解決するための手段】
【００１２】
上記目的を達成するために請求項１に記載の発明は、局内装置側とユーザ装置側とを通信可能に接続する光ファイバに分岐装置が設けられ、この分岐装置を介して複数のユーザ装置が接続されたＰＯＮの切り替え方法であって、複数種のＰＯＮの局内装置とそれぞれ通信するための複数種の通信手段と、前記局内装置から受信した信号に基づいて、この局内装置に適合する前記通信手段を前記局内装置側と接続する接続手段と、を備える装置をハイブリッドユーザ装置とし、既設の局内装置が運用されている状態で、既設の各ユーザ装置を前記ハイブリッドユーザ装置に取り替え、すべての前記ユーザ装置の取り替えを終えた後に、前記既設の局内装置を新たな局内装置に取り替える、ことを特徴とする。
【００１３】
この発明によれば、既設の局内装置が運用されている状態で、既設のユーザ装置をハイブリッドユーザ装置に取り替えると、既設の局内装置から受信した信号に基づいて、既設の局内装置に適合する通信手段が局内装置側と接続され、既設の局内装置とハイブリッドユーザ装置とが通信可能となる。続いて、すべてのハイブリッドユーザ装置への取り替えを終えた後に、既設の局内装置を新たな局内装置に取り替えると、新たな局内装置から受信した信号に基づいて、新たな局内装置に適合する通信手段が局内装置側と接続され、新たな局内装置と全ハイブリッドユーザ装置とが通信可能となる。
【発明の効果】
【００１５】
請求項１に記載の発明によれば、既設のユーザ装置をハイブリッドユーザ装置（本ユーザ装置）に取り替え、既設の局内装置を新たに運用するＰＯＮの局内装置に取り替えるだけで、ＰＯＮの切り替えを容易に行うことができる。この結果、切替用の予備心線や新たな光ケーブルが不要で、柱上作業や心線の原状復帰も不要となり、ユーザとの日程調整も軽減可能となり、ＰＯＮの切り替えのための労力、時間、費用を著しく軽減できる。しかも、心線を切断、再接続する必要がないため、心線の誤切断などのリスクもなくなる。
【００１６】
また、ある既設のユーザ装置を本ユーザ装置に取り替えている間でも、他の既設のユーザ装置は既設の局内装置と通信可能であり、本ユーザ装置に取り替えた後は、本ユーザ装置と既設の局内装置とは通信可能となる。つまり、ユーザ装置の取り替えによって通信が停止されることがほとんどない。さらに、既設の局内装置を新たな局内装置に取り替えると、新たな局内装置から受信した信号に基づいて直ちに新たな局内装置と本ユーザ装置とが通信可能となり、局内装置の取り替えによって通信が停止されることがほとんどない。
【発明を実施するための最良の形態】
【００１７】
以下、この発明を図示の実施の形態に基づいて説明する。
【００１８】
図１は、この発明の実施の形態に係るハイブリッドＯＮＵ（ＰＯＮのユーザ装置）１を示す概略構成ブロック図である。このハイブリッドＯＮＵ１は、この実施の形態では、２種類（２方式）のＰＯＮにおいて光ファイバを介してＯＬＴ（局内装置）と通信可能に接続されるユーザ装置であり、旧型のＰＯＮと、この旧型のＰＯＮよりも高速化、高機能化された新型のＰＯＮとに適用される場合について説明する。このハイブリッドＯＮＵ１は、主として、光送受信インターフェイス部１１と、光受信部１２と、光送信部１３と、信号方式判定部１４と、第１の切替制御部１５と、旧型ＰＯＮ機能部（通信手段）１６と、新型ＰＯＮ機能部（通信手段）１７と、第２の切替制御部１８と、端末向インターフェイス部１９とを備えている。
【００１９】
光送受信インターフェイス部１１は、後述するＯＬＴ２、３との間で光信号を送受信するためのインターフェイスであり、ＯＬＴ２、３から下り光信号を受信し、ＯＬＴ２、３に上り光信号を送信するものである。光受信部１２は、光送受信インターフェイス部１１から伝送された下り光信号を、第１の切替制御部１５を介して旧型ＰＯＮ機能部１６または新型ＰＯＮ機能部１７に伝送すると同時に、信号方式判定部１４に伝送する伝送部である。光送信部１３は、第１の切替制御部１５を介して旧型ＰＯＮ機能部１６または新型ＰＯＮ機能部１７から伝送された上り光信号を、光送受信インターフェイス部１１に伝送する伝送部である。
【００２０】
信号方式判定部１４は、光受信部１２から伝送された下り光信号に基づいて、この下り光信号のＰＯＮの種類を判定し、その判定結果に基づいて第１の切替制御部１５と第２の切替制御部１８とを制御するものである。すなわち、下り光信号の信号構成（データフレーム構成）から、その下り光信号が旧型のＰＯＮによる（旧型のＯＬＴ２からの）光信号か、新型のＰＯＮによる（新型のＯＬＴ３からの）光信号かを判定する。そして、旧型のＰＯＮと判定した場合には、旧型ＰＯＮ機能部１６に接続する旨の制御指令を切替制御部１５、１８に伝送し、新型のＰＯＮと判定した場合には、新型ＰＯＮ機能部１７に接続する旨の制御指令を切替制御部１５、１８に伝送する。
【００２１】
第１の切替制御部１５は、光信号の光路を切り替えるものであり、信号方式判定部１４からの制御指令に基づいて、光受信部１２および光送信部１３を旧型ＰＯＮ機能部１６または新型ＰＯＮ機能部１７に接続するものである。同様に、第２の切替制御部１８は、電気的信号（デジタルデータ信号）の信号路を切り替えるものであり、信号方式判定部１４からの制御指令に基づいて、端末向インターフェイス部１９を旧型ＰＯＮ機能部１６または新型ＰＯＮ機能部１７に接続するものである。ここで、これらの切替制御部１５、１８は、信号方式判定部１４から先に伝送された制御指令と同じ制御指令が伝送された場合には、接続切替を行わないようになっている。すなわち、信号方式判定部１４では、すべての下り光信号を判定するが、その下り光信号に基づくＰＯＮの種類が同一の場合には、つまり、後述するように、通信が確立した後には、切替制御部１５、１８において接続切替を行わないようになっている。なお、通信が確立した後には、光受信部１２から信号方式判定部１４に下り光信号を伝送しないようにしてもよい。以上のように、この実施の形態では、信号方式判定部１４と第１の切替制御部１５と第２の切替制御部１８とによって、接続手段が構成されている。
【００２２】
旧型ＰＯＮ機能部１６は、旧型のＰＯＮ用のＯＬＴ２と通信するための機能部であり、旧型のＰＯＮにおける通常のＯＮＵと同等の機能（ＰＯＮインターフェイス機能、ＯＮＵ認証機能などの）構成で、光信号を電気的信号に変換などする受信処理部１６１と、電気的信号を光信号に変換などする送信処理部１６２とを備えている。同様に、新型ＰＯＮ機能部１７は、新型のＰＯＮ用のＯＬＴ３と通信するための機能部であり、新型のＰＯＮにおける通常のＯＮＵと同等の機能構成で、受信処理部１７１と送信処理部１７２とを備えている。このように、この実施の形態では、２種（２方式）のＰＯＮのＯＬＴ２、３とそれぞれ通信するための２種のＰＯＮ機能部１６、１７が設けられている。そして、上記の信号方式判定部１４と切替制御部１５、１８とによって、旧型のＯＬＴ２または新型のＯＬＴ３から受信した下り光信号に基づいて、送信元のＯＬＴ２またはＯＬＴ３に適合する旧型ＰＯＮ機能部１６または新型ＰＯＮ機能部１７が、ＯＬＴ２、３側と接続されるになっている。
【００２３】
端末向インターフェイス部１９は、後述するユーザ宅Ｈなどに設置されたパーソナルコンピュータなどの端末装置４との間で電気的信号を送受信するためのインターフェイスであり、端末装置４からの上りデータを受信し、端末装置４に下りデータを送信するものである。
【００２４】
次に、このような構成のハイブリッドＯＮＵ１の起動時におけるＯＬＴとの処理フローなどについて、図２に示すタイミングチャートに従って説明する。ここで、ＯＬＴとして、旧型のＰＯＮ用の旧型のＯＬＴ２または、新型のＰＯＮ用の新型のＯＬＴ３が設置されるものとする。
【００２５】
まず、ハイブリッドＯＮＵ１が起動する（ステップＳ１）と、ＯＬＴからハイブリッドＯＮＵ１に、「未登録送出許可」信号が送信される（ステップＳ２）。これを受けて、ハイブリッドＯＮＵ１において、「未登録送出許可」信号を送信したＯＬＴが旧型のＯＬＴ２か新型のＯＬＴ３か、つまりＰＯＮが旧型か新型かを判定などする（ステップＳ３）。すなわち、上記のように、信号方式判定部１４によってＰＯＮの種類を判定し、切替制御部１５、１８を制御して、旧型ＰＯＮ機能部１６または新型ＰＯＮ機能部１７を接続する（作動させる）。次に、接続した旧型ＰＯＮ機能部１６または新型ＰＯＮ機能部１７で生成された「登録要求」信号をＯＬＴに送信する（ステップＳ４）。このとき、旧型ＰＯＮ機能部１６の場合には旧型のＰＯＮのファーマットによる「登録要求」信号を送信し、新型ＰＯＮ機能部１７の場合には新型のＰＯＮのファーマットによる「登録要求」信号を送信する。
【００２６】
続いて、ＯＬＴにおいて、ハイブリッドＯＮＵ１に対してＬＬＩＤ（Ｌｏｇｉｃａｌ  Ｌｉｎｋ  ＩＤｅｎｔｉｆｉｃａｔｉｏｎ、チャネル）が割り付けられ（ステップＳ５）、ＬＬＩＤが登録された旨の「登録通知」信号（ＬＬＩＤ付）がハイブリッドＯＮＵ１に送信される（ステップＳ６）。さらに、割り付けられたＬＬＩＤで通信が可能である旨の「送信許可」信号（ＬＬＩＤ付）が、ＯＬＴからハイブリッドＯＮＵ１に送信される（ステップＳ７）。これを受けて、ハイブリッドＯＮＵ１からＯＬＴに「登録通知確認」信号（ＬＬＩＤ付）を送信する（ステップＳ８）ものである。
【００２７】
ここで、上記のような処理フローにおけるハイブリッドＯＮＵ１の作動、状態について、図３のフローチャートに従って説明する。まず、電源がオンされて起動する（ステップＳ１１）と、光信号の受信待ち状態となる（ステップＳ１２）。次に、ＯＬＴから「未登録送出許可」信号を受信し（ステップＳ１２で「Ｙ」）、その光信号が旧型のＰＯＮの場合（ステップＳ１３で「Ｙ」の場合）には、上記のように旧型ＰＯＮ機能部１６が接続（作動）されて旧型のＰＯＮ用のＯＮＵとして作動を開始する（ステップＳ１４）。すなわち、旧型のＰＯＮのファーマットによる「登録要求」信号を旧型のＯＬＴ２に送信して、旧型のＯＬＴ２との通信を確立し（ステップＳ１５）、データ通信が開始される（ステップＳ１６）。
【００２８】
一方、受信した光信号が旧型のＰＯＮではなく（ステップＳ１３で「Ｎ」）、新型のＰＯＮの場合（ステップＳ１７で「Ｙ」の場合）には、上記のように新型ＰＯＮ機能部１７が接続（作動）されて新型のＰＯＮ用のＯＮＵとして作動を開始する（ステップＳ１８）。すなわち、新型のＰＯＮのファーマットによる「登録要求」信号を新型のＯＬＴ３に送信して、新型のＯＬＴ３との通信を確立し（ステップＳ１９）、データ通信が開始される（ステップＳ１６）。また、いずれのＰＯＮでもない場合（ステップＳ１７で「Ｎ」の場合）には、ステップＳ１２に戻って光信号の受信待ち状態となる。
【００２９】
続いて、データ通信開始後に通信障害が生じたり、後述するようにＯＬＴが取り替えられたりしたりして通信断が生じた場合（ステップＳ２０）には、リセット・再起動され（ステップＳ２１）、ステップＳ１２に戻って光信号の受信待ち状態となる。
【００３０】
次に、このようなハイブリッドＯＮＵ１を用いて、ＰＯＮを切り替えるＰＯＮの切り替え方法について説明する。ここでは、旧型のＰＯＮを新型のＰＯＮに切り替える場合について説明する。すなわち、図４に示すように、旧型のＰＯＮが構築されている状態では、旧型のＯＬＴ２がセンタ局（収用局）に設置され、旧型のＰＯＮ用のＯＮＵ５が各ユーザ宅Ｈに設置されている。そして、旧型のＯＬＴ２と旧型のＯＮＵ５とを通信可能に接続する光ファイバ心線６に光スプリッタ７が設けられ、この光スプリッタ７を介して複数の旧型のＯＮＵ５が接続されている。なお、図中符号Ｃは、電柱上に設置されているクロージャである。
【００３１】
まず、このような旧型のＰＯＮが運用されている状態、つまり既設の旧型のＯＬＴ２が運用されている状態で、各ユーザ宅の旧型のＯＮＵ５をハイブリッドＯＮＵ１に取り替える。この取り替え直後に、上記のような起動処理を経て、ハイブリッドＯＮＵ１は旧型のＰＯＮ用のＯＮＵとして機能し、旧型のＯＬＴ２との通信が可能となる。ここで、ハイブリッドＯＮＵ１に取り替える際には、各ユーザの都合を聞いて取り替えを行う必要があるが、他のユーザに影響を与えないため、すべてのユーザの都合（作業日時）を合わせる必要はなく、それぞれのユーザの都合に合わせて個別に行えばよい。また、旧型のＯＮＵ５が故障した際に、ハイブリッドＯＮＵ１に取り替えるようにしてもよい。さらに、ＯＮＵの取り替え作業に専門性を有さない光アウトレット（光コネクタローゼット等）が適用されている場合には、ユーザ自らで行うことも可能である。このように、ハイブリッドＯＮＵ１の取り替えを柔軟かつ容易に行うことが可能である。
【００３２】
次に、図５に示すように、旧型のＯＬＴ２に接続されているすべての旧型のＯＮＵ５の取り替えを終えた後に、センタ局において旧型のＯＬＴ２を新型のＯＬＴ３に取り替える。すなわち、図６に示すように、旧型のＯＬＴ２から光ファイバ心線６を取り離して、新型のＯＬＴ３に接続し、新型のＯＬＴ３を起動する。これにより、各ハイブリッドＯＮＵ１が再起動し、上記のような起動処理を経て、各ハイブリッドＯＮＵ１は新型のＰＯＮ用のＯＮＵとして機能し、図７に示すように、新型のＰＯＮが構築されて新型のＯＬＴ３とハイブリッドＯＮＵ１とが通信可能となる。ここで、旧型のＯＬＴ２から新型のＯＬＴ３への接続切り替え（光コードの差し替え）は、すべてのユーザの通信頻度が低い時間帯、例えば深夜などに行い、切り替えに要する時間は、５〜１０秒程度であるため、各ユーザに与える影響が少ない。
【００３３】
以上のように、このハイブリッドＯＮＵ１によれば、新旧双方のＰＯＮに自動的に適用可能なため、つまり、センタ局に設置されているＯＬＴ２、３に応じて自動的に通信が可能となるため、ＰＯＮの切り替えを容易に行うことが可能とる。すなわち、上記のようなＰＯＮの切り替え方法によれば、旧型のＯＮＵ５をハイブリッドＯＮＵ１に取り替え、旧型のＯＬＴ２を新型のＯＬＴ３に取り替えるだけで、ＰＯＮの切り替えを容易に行うことができる。この結果、切替用の予備心線や新たな光ケーブルが不要で、柱上作業や心線の原状復帰も不要となり、ユーザとの日程調整も軽減され、ＰＯＮの切り替えのための労力、時間、費用を著しく軽減できる。しかも、心線の誤切断などのリスクもなくなる。
【００３４】
また、あるユーザの旧型のＯＮＵ５を取り替えている間でも、他のユーザの旧型のＯＮＵ５やハイブリッドＯＮＵ１は、旧型のＯＬＴ２との通信が可能な状態であり、また、ハイブリッドＯＮＵ１に取り替えた後は、自動的に（直ちに）通信可能となる。つまり、ＯＮＵの取り替えによって通信が停止されることがほとんどない。同様に、旧型のＯＬＴ２を新型のＯＬＴ３に取り替えると、新型のＯＬＴ３から受信した信号に基づいて直ちに新型のＯＬＴ３とハイブリッドＯＮＵ１とが通信可能となるため、ＯＬＴの取り替えによって通信が停止されることもほとんどない。
【００３５】
ところで、既設の旧型のＰＯＮを新型のＰＯＮに切り替える場合について説明したが、新規にＰＯＮを構築する場合でもハイブリッドＯＮＵ１を適用することで、ＰＯＮの切り替えを容易に行うことが可能となる。すなわち、旧型のＰＯＮを新たに構築する場合に、センタ局に旧型のＯＬＴ２を設置し、各ユーザ宅ＨにハイブリッドＯＮＵ１を設置して運用を開始する。そして、周辺の設備環境などが整い、新型のＰＯＮに移行する場合には、旧型のＯＬＴ２を新型のＯＬＴ３に取り替えればよい。これにより、上記と同様に、各ハイブリッドＯＮＵ１が新型のＰＯＮ用のＯＮＵとして機能し、新型のＰＯＮが構築されるものである。
【００３６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、信号方式判定部１４において、光信号の信号構成に基づいてＰＯＮの種類を判定し切替制御部１５、１８を制御しているが、次のようにしてもよい。すなわち、ハイブリッドＯＮＵ１の起動時においては、旧型ＰＯＮ機能部１６または新型ＰＯＮ機能部１７の一方を常に接続し、通信が確立しない場合に他方の新型ＰＯＮ機能部１７または旧型ＰＯＮ機能部１６を接続するようにしてもよい。また、旧型ＰＯＮ機能部１６と新型ＰＯＮ機能部１７とが別構成（別体）となっているが、双方のＰＯＮ機能部１６、１７を一体的な構成とし、内部において接続切替するようにしてもよい。さらに、２種類のＰＯＮの切り替えを行う場合について説明しているが、３種以上のＰＯＮの切り替えを行う場合にも適用できることは勿論である。
【図面の簡単な説明】
【００３７】
【図１】この発明の実施の形態に係るハイブリッドＯＮＵの概略構成ブロック図である。
【図２】図１のハイブリッドＯＮＵの起動時におけるＯＬＴとの処理フローを示すタイミングチャートである。
【図３】図２の処理フローにおけるハイブリッドＯＮＵの作動、状態を示すフローチャートである。
【図４】この発明の実施の形態に係るＰＯＮの切り替え方法において、旧型のＰＯＮが構築されている状態などを示す概略構成図である。
【図５】図４の状態の後に、すべての旧型のＯＮＵ５をハイブリッドＯＮＵに取り替えた状態を示す概略構成図である。
【図６】図５の状態の後に、旧型のＯＬＴを新型のＯＬＴに切り替えている状態を示す概略構成図である。
【図７】図６の状態の後に、旧型のＯＬＴを新型のＯＬＴに切り替えた状態を示す概略構成図である。
【図８】ＰＯＮを切り替える従来の第１の方法を示す概略構成図である。
【図９】ＰＯＮを切り替える従来の第２の方法を示す概略構成図である。
【符号の説明】
【００３８】
１          ハイブリッドＯＮＵ（ＰＯＮのユーザ装置）
１１        光送受信インターフェイス部
１２        光受信部
１３        光送信部
１４        信号方式判定部（接続手段）
１５        第１の切替制御部（接続手段）
１６        旧型ＰＯＮ機能部（通信手段）
１７        新型ＰＯＮ機能部（通信手段）
１８        第２の切替制御部（接続手段）
１９        端末向インターフェイス部
２          旧型のＯＬＴ（局内装置）
３          新型のＯＬＴ（局内装置）
５          旧型のＯＮＵ（ユーザ装置）
６          光ファイバ心線
Ｃ          クロージャ
Ｈ          ユーザ宅
【図１】
0004818283.tif 000002
【図２】
0004818283.tif 000003
【図３】
0004818283.tif 000004
【図４】
0004818283.tif 000005
【図５】
0004818283.tif 000006
【図６】
0004818283.tif 000007
【図７】
0004818283.tif 000008
【図８】
0004818283.tif 000009
【図９】
0004818283.tif 000010